(57)【要約】【課題】コモン反転駆動に起因して生じる画素電極の電位変動を防ぎ、色むらの低減を図った電気光学装置及び電子機器を提供することである。【解決手段】走査線２と、データ線１と、画素電極４と、対向電極５と、電気光学物質２１と、走査線駆動回路６と、前記対向電極の電圧を１水平期間以上の所定数の水平期間でコモン反転駆動させるコモン電圧駆動手段２４と、映像信号信号源からの所定数の色の画素信号ごとに一組とし、各組につき所定数の画素信号を時分割して一組のシリアル信号に変換し、その変換の際に最初に視認性の低い色の画素信号を先頭にして順次並べて一組のシリアル信号として出力するデータ線駆動回路７と、前記データ線駆動回路からのシリアル信号を並列変換してデータ線に振り分けるデマルチプレクサ部９と、を備えたものである。【選択図】  図１
2007114259.tif 000002
【特許請求の範囲】
【請求項１】
走査線と、データ線と、前記走査線と前記データ線の交差に対応して設けられた画素電
極と、前記画素電極に対向配置される対向電極と、を具備する電気光学装置であって、
前記走査線を順次選択する電圧を供給する走査線駆動回路と、
前記対向電極の電圧を１水平期間以上の所定数の水平期間で極性反転させるコモン電圧
駆動手段と、
画像信号を所定数の色の画素信号毎に組とし、当該組毎に画素信号を時分割する際に、視
認性の低い色の画素信号を最初に選択して時間順次に並べて一組のシリアル信号として出
力するデータ線駆動回路と、
前記データ線駆動回路からのシリアル信号を並列変換して前記データ線に振り分けるデ
マルチプレクサ部と、
を備えたことを特徴とする電気光学装置。
【請求項２】
前記データ線駆動回路は、前記画像信号を赤、緑、青の３色毎に一組とし、各組につき
赤、緑、青の３色の画素信号を時分割する際に、前記青の画素信号を最初に選択して時間
順次に並べて一組のシリアル信号として出力することを特徴とする請求項１に記載の電気
光学装置。
【請求項３】
走査線と、データ線と、前記走査線と前記データ線の交差に対応して設けられた画素電
極と、前記画素電極に対向配置される対向電極と、を具備する電気光学装置であって、
前記走査線を順次選択する電圧を供給する走査線駆動回路と、
前記対向電極の電圧を１水平期間以上の所定数の水平期間で極性反転させるコモン電圧
駆動手段と、
赤、緑、青及び前記赤、緑、青のうちいずれかの補色の画像信号をその４色の画素信号
ごとに組とし、当該組毎に前記４色の画素信号を時分割する際に、前記補色又は前記青の
画素信号を最初に選択して時間順次に並べて一組のシリアル信号として出力するデータ線
駆動回路と、
前記データ線駆動回路からのシリアル信号を並列変換して前記データ線に振り分けるデ
マルチプレクサ部と、
を備えたことを特徴とする電気光学装置。
【請求項４】
前記データ線駆動回路は、前記対向電極の電圧が極性反転した直後に前記シリアル信号
の最初の画素信号を前記デマルチプレクサ部に選択させることを特徴とする請求項１乃至
３のいずれか１項に記載の電気光学装置。
【請求項５】
請求項１乃至４のいずれか１つに記載の電気光学装置を備えたことを特徴とする電子機
器。
【発明の詳細な説明】
【技術分野】
【０００１】
本発明は、多マルチプレクス駆動を複数の色信号に適用し、多マルチプレクス駆動でか
つコモン反転駆動を行う際に、画素電極に印加される電圧に変動があっても、色むらとし
て目立たないようにした電気光学装置及び電子機器に関する。
【背景技術】
【０００２】
通常、電気光学装置、例えば液晶装置は、複数の走査線（以下、ゲート線という）と複
数のデータ線（以下、ソース線という）の交差部に複数の画素からなる表示部を形成し、
これを利用してビデオ信号を表示する。液晶装置は、各画素のデータ信号に基づいて光透
過量が制御される複数の液晶セルと、ソース線から液晶セルに供給されるデータ信号を切
り換えるための薄膜トランジスタ（ＴＦＴという：Thin Film Transistorの略）と、ゲー
ト線及びソース線をそれぞれ駆動する走査線駆動回路（以下、ゲートドライバという）及
びデータ線駆動回路（以下、ソースドライバという）を有した駆動回路部分と、を含んで
いる。
【０００３】
多マルチプレクス駆動の液晶装置では、ソースドライバから液晶表示部へ供給する画素
信号の配線数を低減するために、ソースドライバにマルチプレクサ部を含んでおり、例え
ばＲ（赤），Ｇ（緑），Ｂ（青）３つの信号をマルチプレクス（ＭＰＸ：時分割多重）し
て一組のシリアル信号（ここではＲ，Ｇ，Ｂ３つの信号が時分割多重された直列信号を意
味する）に変換して出力し、このシリアル信号を液晶表示部の近辺に設けたデマルチプレ
クサ部にてデマルチプレクス（ＤＭＰＸ：直並列変換）することによってＲ，Ｇ，Ｂ信号
に分解してそれぞれをＲ，Ｇ，Ｂのソース線に振り分け、行方向に並んだ画素電極へデー
タの書き込みを行なう。これにより、ソースドライバから液晶表示部へ配線する複数（例
えば３つ）の信号線数を１本にすることが可能となり、液晶表示部への信号配線総数を大
幅に削減することができる。これにより、液晶表示部の入力端子数が膨大なものとなるＨ
ＤＴＶ等の高精細表示においては、その入力端子数の削減に特に有用である（例えば、特
許文献１参照）。
【０００４】
一方、液晶装置においては、液晶の劣化を防ぐために、一定周期で液晶に印加する電圧
の極性反転が行われる。例えば、フレーム毎に画素電極への液晶印加電圧の極性を切り換
えるフレーム反転駆動や、１水平ラインあるいは複数の水平ライン毎に画素電極への液晶
印加電圧の極性を反転させるＨライン反転駆動、画素単位で画素電極への液晶印加電圧の
極性を切り換えるＨＶ反転駆動などが知られている。なお、Ｈライン反転駆動やＨＶ反転
駆動では、極性の正負の非対称に基づいたフリッカ発生を目立たさせないようにする利点
がある。しかし、液晶を駆動するためには、正極側の一定電圧が必要とされ、対向電極電
圧を固定電位として前記の極性反転駆動を行うためには、負極側にも一定電圧が必要とさ
れるので、駆動回路の出力は前記一定電圧の２倍の電圧のダイナミックレンジと精度が要
求され、消費電力も増大する。
【０００５】
そこで、Ｈライン反転駆動に加えて、少なくとも１水平ライン毎に対向電極電圧も極性
反転させる（Ｈ／コモン反転駆動と呼ぶ）ことにより、駆動回路の出力のダイナミックレ
ンジを小さくしかつ電力消費を低減させることが可能となると共に、ソース線電圧の振幅
を低減することができる。なお、以下の記述でコモン反転駆動とは、画素電極に加える液
晶印加電圧の極性を反転する代りに対向電極電圧を極性反転させるコモン駆動のほかに、
上述のＨ／コモン反転駆動をも含めた駆動方法をも含むものとする。
【特許文献１】特開平６−１３８８５１号公報
【発明の開示】
【発明が解決しようとする課題】
【０００６】
ところで、特許文献１のような多マルチプレクス駆動の液晶装置において、コモン反転
駆動を行うと、対向電極電圧の極性反転が行われた直後にデマルチプレクサ部の最初にオ
ンするデマルチプレクススイッチついて、極性反転によりソース線に溜まった電位の変動
に起因して、該デマルチプレクスイッチから画素電極に供給されるソース線の電位に変動
が生じ、その結果画素電極にかかる電位が変動し、色むらの原因となる問題があった。す
なわち、Ｒ，Ｇ，Ｂを一組とするシリアル信号をデマルチプレクサ部にてパラレル信号に
変換する場合、Ｒ，Ｇ，Ｂ信号のうち最初に選択されるデマルチプレクススイッチの信号
がＲ信号であるとすると、最初のＲ信号がデマルチプレクススイッチから出力される際に
、コモン反転駆動に起因したソース線の電位変動により最初に供給されるＲ画素電極への
Ｒ信号の電圧が理想電位から降下し、その降下量は他のＧ，Ｂ信号のソース線の電位の変
化量に比べて最も大きいために、Ｒ，Ｇ，Ｂ信号間での相対的な信号レベルのバランスが
、本来あるべき信号レベル間のバランスから外れ、アンバランスとなり、色むらとなって
表示される欠点があった。
【０００７】
そこで、本発明は、上記の問題に鑑み、多マルチプレクス駆動でかつコモン反転駆動を
行う際に、画素電極に印加される電圧に変動があっても、色むらとして目立たないように
した電気光学装置及び電子機器を提供することを目的とするものである。
【課題を解決するための手段】
【０００８】
本発明による電気光学装置は、走査線と、データ線と、前記走査線と前記データ線の交
差に対応して設けられた画素電極と、前記画素電極に対向配置される対向電極と、を具備
する電気光学装置であって、前記走査線を順次選択する電圧を供給する走査線駆動回路と
、  前記対向電極の電圧を１水平期間以上の所定数の水平期間で極性反転させるコモン電
圧駆動手段と、画像信号を所定数の色の画素信号毎に組とし、当該組毎に画素信号を時分
割する際に、視認性の低い色の画素信号を最初に選択して時間順次に並べて一組のシリア
ル信号として出力するデータ線駆動回路と、前記データ線駆動回路からのシリアル信号を
並列変換して前記データ線に振り分けるデマルチプレクサ部と、を備えたものである。
【０００９】
このような本発明の構成によれば、所定数の色の画素信号を時分割多重して一組のシリ
アル信号に変換する場合、所定数の色の画素信号のうち視認性の低い色の画素信号を先頭
にして並べて一組のシリアル信号とし、このシリアル信号をデマルチプレクサ部にてその
時間順にパラレル信号に並列変換してデータ線に振り分けるので、デマルチプレクサ部を
構成するセレクタの最初のスイッチから画素電極に出力される画素信号は視認性の低い色
の画素信号であるので、コモン反転駆動に起因して画素電極に電位変動があっても、色む
らとして目立たないようすることができる。
【００１０】
本発明において、前記データ線駆動回路は、前記画像信号を赤、緑、青の３色毎に一組
とし、各組につき赤、緑、青の３色の画素信号を時分割する際に、前記青の画素信号を最
初に選択して時間順次に並べて一組のシリアル信号として出力することを特徴とする。
【００１１】
このような構成によれば、Ｒ，Ｇ，Ｂ３色の画素信号を時分割多重して一組のシリアル
信号に変換する場合、Ｒ，Ｇ，Ｂ３色の画素信号のうち視認性の低いＢの画素信号を先頭
にして並べて一組のシリアル信号とし、このシリアル信号をデマルチプレクサ部にてその
時間順にパラレル信号に並列変換してデータ線に振り分けるので、デマルチプレクサ部を
構成するセレクタの最初のデマルチプレクススイッチのオンによって画素電極に書き込ま
れる画素信号は視認性の低い色の画素信号であるので、コモン反転駆動に起因して画素電
極に電位変動があっても、色むらとして目立たないようすることができる。
【００１２】
本発明による電気光学装置は、走査線と、データ線と、前記走査線と前記データ線の交
差に対応して設けられた画素電極と、前記画素電極に対向配置される対向電極と、を具備
する電気光学装置であって、前記走査線を順次選択する電圧を供給する走査線駆動回路と
、  前記対向電極の電圧を１水平期間以上の所定数の水平期間で極性反転させるコモン電
圧駆動手段と、赤、緑、青及び前記赤、緑、青のうちいずれかの補色の画像信号をその４
色の画素信号ごとに組とし、当該組毎に前記４色の画素信号を時分割する際に、前記補色
又は前記青の画素信号を最初に選択して時間順次に並べて一組のシリアル信号として出力
するデータ線駆動回路と、前記データ線駆動回路からのシリアル信号を並列変換して前記
データ線に振り分けるデマルチプレクサ部と、を備えたものである。
【００１３】
このような構成によれば、Ｒ，Ｇ，Ｂ及びＲ，Ｇ，Ｂのうちいずれかの補色の４色の画
素信号を時分割多重して一組のシリアル信号に変換する場合、Ｒ，Ｇ，Ｂ及びＲ，Ｇ，Ｂ
のうちいずれかの補色の４色の画素信号のうち視認性の低い前記補色又はＢの画素信号を
先頭にして並べて一組のシリアル信号とし、このシリアル信号をデマルチプレクサ部にて
その時間順にパラレル信号に並列変換してデータ線に振り分けるので、デマルチプレクサ
部を構成するセレクタの最初のデマルチプレクススイッチのオンによって画素電極に書き
込まれる画素信号は視認性の低い色の画素信号であるので、コモン反転駆動に起因して画
素電極に電位変動があっても、色むらとして目立たないようすることができる。
【００１４】
本発明において、前記データ線駆動回路は、前記対向電極の電圧が極性反転した直後に
前記シリアル信号の最初の画素信号を前記デマルチプレクサ部に選択させることを特徴と
する。  
このような構成によれば、コモン反転駆動に起因して画素電極に電位変動があっても、
データ線駆動回路は、コモン反転の直後にはシリアル信号の中の視認性の低い画素信号を
前記デマルチプレクサ部に最初に選択させるので、色むらとして目立たないようにするこ
とができる。
【００１５】
本発明による電子機器は、上記の電気光学装置を備えたことを特徴とする。  
このような構成によれば、画素電極に印加される電圧に変動があっても、色むらとして
目立たなくすることが可能な電気光学装置を備えた電子機器を実現できる。
【発明を実施するための最良の形態】
【００１６】
発明の実施の形態について図面を参照して説明する。  
図１は本発明に係る電気光学装置の概略構成を示す図である。
【００１７】
図１において、電気光学装置は、複数のデータ線（以下、ソース線）１と、このソース
線１に略直交して配置される複数の走査線（以下、ゲート線）２と、この複数のソース線
１および複数のゲート線２の複数の交差に対応して設けられた複数のスイッチング素子３
と、この複数のスイッチング素子３に対応して設けられた複数の画素電極４と、この複数
の画素電極４に対向配置される対向電極５と、画素電極４と対向電極５間に介在する電気
光学物質２１と、前記複数のゲート線２を順次駆動する走査線駆動回路（以下、ゲートド
ライバ）６と、前記複数の対向電極５の電圧を例えば１水平期間（１Ｈと略記）ごとに極
性反転（コモン反転駆動）させるコモン電圧駆動手段であるコモン電圧供給源２４と、Ｒ
，Ｇ，Ｂの映像信号を出力するビデオ信号源１１からのＲ，Ｇ，Ｂの画素信号を一組とし
て、各組ごとにマルチプレクス（時分割多重）してＲＧＢシリアル信号に変換して出力す
るデータ線駆動回路（以下、ソースドライバ）７と、このソースドライバ７からの各組ご
とのシリアル信号をデマルチプレクス（直並列変換）してＲ，Ｇ，Ｂのソース線１に振り
分け、画素電極４へデータの書き込みを行なう、表示部８に近接して配置されたデマルチ
プレクサ部９とを備えている。
【００１８】
複数のスイッチング素子３は画素ごとに設けられており、スイッチング素子３としては
ＴＦＴ（電界効果型の薄膜トランジスタ）が用いられている。スイッチング素子３である
ＴＦＴは、ソースがソース線１の１つに接続し、ゲートがゲート線２の１つに接続し、ド
レインが画素電極４に接続している。ＴＦＴはそのゲートにゲート線２からハイレベル信
号が印加されると、ソース・ドレイン間が導通してソース線１からの画素信号が画素電極
４に印加されるようになっている。画素電極４は電気光学物質２１を介在して対向電極５
に対向して配置され、画素電極４と対向電極５の電位差に応じて電気光学物質２１の光透
過率等の光学特性が変化することによって画素信号電圧に応じた濃淡（階調）で表示が可
能となる。図１において、表示部８の左側に図示されているＨ（ハイレベル），Ｌ（ロー
レベル）の繰り返しの表示は例えば１水平期間ごとに対向電極電圧が極性反転するコモン
反転駆動が行われることを表している。なお、上記のコモン反転駆動は１水平期間以上の
所定数の水平期間（即ち、水平期間の自然数倍）ごとに行ってもよい。
【００１９】
デマルチプレクサ部９は、表示部８の内蔵回路として表示部８と一体的に形成されてい
てもよい。  
ビデオ信号源１１は、Ｒ，Ｇ，Ｂ３色の映像信号を生成してドライバ部１０に供給する
ものであるが、ビデオ信号源１１からドライバ部１０へ供給する信号形態としては、Ｒ，
Ｇ，Ｂの３つの信号が３本の信号線を介してパラレルに同時的にドライバ部１０に供給さ
れていても、或いはＲ，Ｇ，Ｂの３つの信号が１本の信号線を介してシリアルに順次にド
ライバ部１０に供給されていてもよい。
【００２０】
或いは、ビデオ信号源１１は、Ｒ，Ｇ，Ｂ及びＲ、Ｇ、Ｂのうちいずれかの補色（例え
ばＣｙ（シアン））の４色の映像信号を生成してドライバ部１０に供給するものであって
、ビデオ信号源１１からドライバ部１０へ供給する信号形態としては、Ｒ，Ｇ，Ｂ，Ｃｙ
の４つの信号が４本の信号線を介してパラレルに同時的にドライバ部１０に供給されてい
ても、或いはＲ，Ｇ，Ｂ，Ｃｙの４つの信号が１本の信号線を介してシリアルに順次にド
ライバ部１０に供給されていてもよい。
【００２１】
従って、ビデオ信号源１１は、所定数ｎ（ｎは自然数）の色の映像信号を生成してドラ
イバ部１０に供給するものであってもよく、ビデオ信号源１１からドライバ部１０へ供給
する信号形態としては、所定数ｎ（ｎは自然数）の色のｎ個の信号がｎ個の信号線を介し
てパラレルに同時的にドライバ部１０に供給されていても、或いは所定数ｎ（ｎは自然数
）の色のｎ個の信号が１本の信号線を介してシリアルに順次にドライバ部１０に供給され
ていてもよい。
【００２２】
ゲートドライバ６とソースドライバ７はドライバ部１０を構成しており、ビデオ信号源
１１から供給されるＲ，Ｇ，Ｂ信号（或いはＲ，Ｇ，Ｂ，Ｃｙ信号）に基づいてソースド
ライバ７で生成された多マルチプレクス駆動用（例えば、図２の実施形態は３マルチプレ
クス駆動、図８の実施形態は４マルチプレクス駆動）の一組以上の複数組のＲＧＢシリア
ル信号が各組ごとの１つ以上の複数の信号線１２を介してデマルチプレクサ部９に供給さ
れる。ソースドライバ７から表示部側のデマルチプレクサ部９への信号線１２の本数は、
表示部８の行方向の画素数よりも多マルチプレクス（多時分割多重）の分だけ少なくする
ことができる。即ち、信号線１２の本数を、３マルチプレクス駆動の場合は１／３、４マ
ルチプレクス駆動の場合は１／４、ｎマルチプレクス駆動の場合は１／ｎにすることがで
きる。但し、マルチプレクス数が多くなるほど、１水平期間に画素信号を書き込む時間は
短くなる。以下説明を簡単にするため、３マルチプレクス駆動（或いは４マルチプレクス
駆動）の場合について説明する。
【００２３】
デマルチプレクサ部９では、一組以上の複数組のＲＧＢシリアル信号（或いはＲＧＢＣ
ｙシリアル信号）を各組ごとにデマルチプレクス（直並列変換）することによってＲ，Ｇ
，Ｂ個々の信号（或いはＲ，Ｇ，Ｂ，Ｃｙ個々の信号）に分解し、各組ごとに時間的に順
次供給となる一連のパラレル信号ＯＳ1〜ＯＳmとして、表示部８の複数のソース線１に出
力する。なお、ソースドライバ７からは幾組かのシリアル信号のほかに、デマルチプレク
サ部９のセレクタ（例えば、図２の９１，９２，…、図８の９１Ａ，９２Ａ，９３Ａ，…
）内のデマルチプレクススイッチを順次にオンするためのマルチプレクス数と同数の３つ
又は４つの選択信号が、３本又は４本の選択信号線１３を介してデマルチプレクサ部９に
供給される。
【００２４】
一方、表示部８の複数のゲート線２には、ゲートドライバ６から走査線駆動信号ｇ1〜
ｇｎが複数のゲート線２のそれぞれに対し複数の信号線を介して時間的に順次に各々のゲ
ート線２に対して供給され、走査線駆動信号が供給された１つのゲート線に接続している
水平方向の複数のスイッチング素子３がオンすることによって、そのゲート線の水平ライ
ンのみがアクティブな状態とされる。そのオン状態の水平方向の複数のスイッチング素子
３のソースに、複数本のソース線１からＲ，Ｇ，Ｂ（或いはＲ，Ｇ，Ｂ，Ｃｙ）の映像信
号が入力されると、スイッチング素子３のソースからドレイン（即ち画素電極４）へＲ，
Ｇ，Ｂ（或いはＲ，Ｇ，Ｂ，Ｃｙ）の映像信号が書き込まれることになる。
【００２５】
ソースドライバ７は、ビデオ信号源１１からの一組以上の複数組のＲ，Ｇ，Ｂ（或いは
Ｒ，Ｇ，Ｂ，Ｃｙ）の画素信号を各組ごとにシリアル信号に変換する際に、一組以上の複
数組のＲ，Ｇ，Ｂ（或いはＲ，Ｇ，Ｂ，Ｃｙ）の画素信号を各組ごとにＢ，Ｇ，Ｒの順（
或いはＣｙ，Ｇ，Ｒ，Ｂの順）に時間的に直列に並べたシリアル信号として出力するマル
チプレクス（時分割多重）機能を備えたものである。
【００２６】
従って、ソースドライバ７の具体的な構成としては、ビデオ信号源１１からのＲ，Ｇ，
Ｂ（或いはＲ，Ｇ，Ｂ，Ｃｙ）の画素信号を１フレーム分一旦記憶する記憶手段としての
フレームメモリと、このフレームメモリに記憶した一組以上の複数組のＲ，Ｇ，Ｂ（或い
はＲ，Ｇ，Ｂ，Ｃｙ）の画素信号を各組ごとにシリアル信号に変換する際に、一組以上の
複数組のＲ，Ｇ，Ｂ（或いはＲ，Ｇ，Ｂ，Ｃｙ）の画素信号を各組ごとにＢ，Ｇ，Ｒの順
（或いはＣｙ，Ｇ，Ｒ，Ｂの順）に時間的に直列に並べたシリアル信号として出力するマ
ルチプレクサ部（時分割多重部）と、を備えている。なお、ソースドライバ７の他の形態
としては、記憶手段としてのフレームメモリに代えて、ビデオ信号源１１からのＲ，Ｇ，
Ｂ（或いはＲ，Ｇ，Ｂ，Ｃｙ）の画素信号を１水平期間以上の所定数の水平期間分一旦記
憶するメモリを用いた構成であってもよい。
【００２７】
なお、図１の構成では、デマルチプレクサ部９はドライバ部１０と別体に構成されてい
るが、ドライバ部１０の内部にデマルチプレクサ部９が含まれる構成となっていてもよい
。
【００２８】
［第１の実施形態］
図２は本発明の第１の実施形態の電気光学装置の構成を示す図である。  
本実施形態の電気光学装置では、電気光学物質として液晶を用い、３マルチプレクス駆
動でかつコモン反転駆動を行う液晶装置について説明する。図１と同一機能の部分には同
一符号を付して説明する。なお、図２のゲートドライバ及びビデオ信号源は、図１におけ
るゲートドライバ６及びビデオ信号源１１と同様であるので、図１と同一符号を付してあ
る。
【００２９】
図２に示す第１の実施形態は、図３に示すように１画素をＲ，Ｇ，Ｂ３つのカラー画素
（サブ画素）で構成した液晶装置、換言すればＲ，Ｇ，Ｂ３つのカラーフィルタ（ＣＦ）
を有した液晶装置である。
【００３０】
図２において、液晶装置は、複数のソース線１と、このソース線１に略直交して配置さ
れる複数のゲート線２と、この複数のソース線１および複数のゲート線２の複数の交差に
対応して設けられた複数のスイッチング素子３と、この複数のスイッチング素子３に対応
して設けられた複数の画素電極４と、この複数の画素電極４に対向配置される対向電極５
と、画素電極４と対向電極５間に介在する電気光学物質としての液晶層２１ａと、複数の
ゲート線２を順次駆動するゲートドライバ６と、対向電極５の電圧を１水平期間以上の所
定数の水平期間ごとに極性反転（コモン反転駆動）させるコモン電圧駆動手段であるコモ
ン電圧供給源２４と、Ｒ，Ｇ，Ｂの映像信号を発生するビデオ信号源１１から供給される
一組以上の複数組のＲ，Ｇ，Ｂの画素信号を、各組ごとにマルチプレクス（時分割多重）
して一組以上の複数組のＲＧＢシリアル信号に変換する際に、一組以上の複数組のＲ，Ｇ
，Ｂの画素信号を各組ごとにＢ，Ｇ，Ｒの順に時間的に直列に並べたシリアル信号として
出力するマルチプレクス機能を有するソースドライバ７Ａと、このソースドライバ７Ａか
らの一組以上の複数組のＲＧＢシリアル信号（Ｓ1，Ｓ2，…）を、各組ごとにデマルチプ
レクス（直並列変換）してＲ，Ｇ，Ｂを一組とする複数組のソース線１に各組につきＢ，
Ｇ，Ｒの順にＢ，Ｇ，Ｒの画素信号を振り分け、対応した複数の画素電極４へデータの書
き込みを行なう、液晶表示部８Ａに近接して配置されたデマルチプレクサ部９Ａとを備え
ている。  
図２の液晶表示部８Ａのソース線入力端子Ｄ1，Ｄ2，Ｄ3，Ｄ4，Ｄ5，Ｄ6，……，Ｄm
はそれぞれ、Ｒ，Ｇ，Ｂ，Ｒ，Ｇ，Ｂ，…の画素信号ＯＳ1，ＯＳ2，ＯＳ3，ＯＳ4，ＯＳ
5，ＯＳ6，……，ＯＳmを供給する複数（ｍ本）のソース線に一対一で接続している。
【００３１】
液晶表示部８Ａは、横，縦の画素数がそれぞれ例えば２４０，３２０である。  
複数のスイッチング素子３は画素ごとに設けられている。スイッチング素子３としては
ＴＦＴ（電界効果型の薄膜トランジスタ）が用いられている。
【００３２】
図４に示すように、スイッチング素子３であるＴＦＴは、そのソースがソース線１の１
つに接続し、ゲートがゲート線２の1つに接続し、ドレインが画素電極４に接続している
。画素電極４は対向電極５に対向して配置され、両電極４，５間には電気光学物質として
の液晶層２１ａが介在している。スイッチング素子３のドレインは、保持容量２２を介し
て水平ライン毎に共通の容量線２３に接続している。なお、本願の場合、対向電極５は前
述のコモン電圧駆動手段としてのコモン電圧供給源２４によって１水平期間以上の所定数
の水平期間ごとにそのコモン電位が反転駆動される。
【００３３】
デマルチプレクサ部９は、液晶表示部８Ａの内蔵回路として液晶表示部８Ａと一体的に
形成されていてもよい。  
ゲートドライバ６とソースドライバ７Ａはドライバ部を構成している。  
ビデオ信号源１１は、Ｒ，Ｇ，Ｂの映像信号を生成してドライバ部に供給するものであ
るが、ドライバ部に供給する信号形態としては、Ｒ，Ｇ，Ｂの３つの信号が３本の信号線
を介してパラレルに出力されてドライバ部に供給されている場合でも、或いはＲ，Ｇ，Ｂ
の３つの信号が１本の信号線を介してシリアルに出力されてドライバ部に供給されている
場合でもよい。
【００３４】
ビデオ信号源１１から供給されるＲ，Ｇ，Ｂ信号に基づいてソースドライバ７Ａで生成
された３マルチプレクス駆動用の一組以上の複数組のＲＧＢシリアル信号は１つ以上の複
数（実際には液晶表示部８Ａの水平画素数が２４０である場合はその１／３の８０本）の
信号線１２を介してデマルチプレクサ部９Ａに供給される。
【００３５】
デマルチプレクサ部９Ａは、複数組のＲＧＢシリアル信号（Ｓ1，Ｓ2，…）を、１水平
期間に入力して各組同時に１水平ライン分の画素信号を生成し得るように（図５のＯＳ3
〜ＯＳ1，ＯＳ6〜ＯＳ4，…）、複数組のＲＧＢシリアル信号（Ｓ1，Ｓ2，…）を各組ご
とにＢの画素信号を先頭にしてＢ，Ｇ，Ｒの順に３信号に時間順次に並列的に振り分ける
３信号選択用のセレクタが、符号９１，９２，……と複数固、液晶表示部８Ａの１画面の
水平方向（行方向）に１水平期間分の画素信号を生成するのに必要な個数（例えば液晶表
示部８Ａの水平方向画素数が２４０の場合はその１／３の８０個）並んで配置されている
。
【００３６】
なお、ソースドライバ７Ａからは幾組かのシリアル信号（Ｓ1，Ｓ2，…）のほかに、デ
マルチプレクサ部９Ａの３信号選択用のセレクタ（例えば符号９１）を構成する３つのデ
マルチプレクススイッチ（例えば符号９１ａ，９１ｂ，９１ｃ）を順次にオンするための
選択信号ＳＥＬ１，ＳＥＬ２，ＳＥＬ３が、それぞれの３本の選択信号線１３を介してデ
マルチプレクサ部９Ａに供給される。この選択信号ＳＥＬ１，ＳＥＬ２，ＳＥＬ３は、デ
マルチプレクサ部９Ａの３信号選択用のセレクタ９２を構成する３つのデマルチプレクス
スイッチ９２ａ，９２ｂ，９２ｃに対しても前述のセレクタ９１のスイッチ９１ａ，９１
ｂ，９１ｃと同様に与えられて、各スイッチを順次にオンさせることができる。
【００３７】
図５は、図２におけるデマルチプレクサ部９Ａの動作を説明するタイミングチャートを
示している。Ｈsyncは水平同期信号、１Ｈは１水平期間、Ｓ1，Ｓ2，…はソースドライバ
７Ａからデマルチプレクサ部９Ａへ供給されるＢ，Ｇ，Ｒの時間順序で直列的に並んだシ
リアル信号、ＳＥＬ１〜ＳＥＬ３はソースドライバ７Ａからデマルチプレクサ部９Ａへ前
記Ｂ，Ｇ，Ｒの時間順序に対応したＳＥＬ3，ＳＥＬ2，ＳＥＬ1の順序で供給される選択
信号、ＯＳ1〜ＯＳ3，ＯＳ4〜ＯＳ5，……は複数のソース線１に前記Ｂ，Ｇ，Ｒの時間順
序に対応したＯＳ3〜ＯＳ1，ＯＳ6〜ＯＳ4，……の時間順序で振り分けられたＲ，Ｇ，Ｂ
の画素信号を表している。  
デマルチプレクサ部９Ａは、ソースドライバ７Ａからの複数組のＢＧＲシリアル信号Ｓ
１，Ｓ2，……を複数のソース線１に割り振るラインセレクタとして機能する。
【００３８】
デマルチプレクサ部９Ａでは、複数組のＲＧＢシリアル信号（Ｓ1，Ｓ2，…）を組ごと
に選択信号ＳＥＬ3，ＳＥＬ2，ＳＥＬ1を用いてデマルチプレクスすることによってＢ，
Ｇ，Ｒ個々の信号に分解し、各組ごとに同じタイミングでＢの画素信号を先頭にしてＢ，
Ｇ，Ｒの時間順次に分解したパラレル信号（ＯＳ3〜ＯＳ1），（ＯＳ6〜ＯＳ4），……（
ＯＳm〜ＯＳm-2）として、液晶表示部８Ａの複数のソース線１の入力端子Ｄ１〜Ｄｍに出
力する。
【００３９】
選択信号ＳＥＬ3，ＳＥＬ2，ＳＥＬ1は、１水平期間を３分割した期間にそれぞれハイ
レベル信号としてソースドライバ７Ａから時間順次に供給される。これらの選択信号ＳＥ
Ｌ3〜ＳＥＬ1が３信号選択用のセレクタ９１，９２，……のいずれに対しても同じタイミ
ングで供給されるので、各組ごとのパラレル信号（ＯＳ3〜ＯＳ1），（ＯＳ6〜ＯＳ4），
……（ＯＳm〜ＯＳm-2）は１水平期間に選択信号ＳＥＬ3〜ＳＥＬ1とほぼ同じタイミング
で液晶表示部８Ａの複数（ｍ本）のソース線１に同時的に供給される。
【００４０】
一方、液晶表示部８Ａの複数のゲート線２には、ゲートドライバ６から液晶表示部８Ａ
の複数のゲート線２の入力端子Ｇ１〜Ｇｎにそれぞれ走査線駆動信号ｇ1〜ｇｎが図示し
ない複数の信号線を介して水平期間ごとに順次に各々のゲート線２に対して供給され、走
査線駆動信号が供給されたゲート線２に接続したＴＦＴによる複数のスイッチング素子３
がオンすることによって、そのゲート線のみが１水平期間アクティブな状態とされ、複数
のソース線１からそのオン状態の複数のスイッチング素子３のソースにＲ，Ｇ，Ｂの画素
信号が順次に入力され、スイッチング素子３のドレイン（即ち画素電極４）へＲ，Ｇ，Ｂ
の画素信号が書き込まれることになる。
【００４１】
ソースドライバ７Ａは、 図１で説明したのと同様な構成である。  
ソースドライバ７Ａは、ビデオ信号源１１からの一組以上の複数組のＲ，Ｇ，Ｂの画素
信号を各組ごとにシリアル信号に変換する際に、一組以上の複数組のＲ，Ｇ，Ｂの画素信
号を各組ごとにＢ，Ｇ，Ｒの順に時間的に直列に並べたシリアル信号として出力するマル
チプレクス（時分割多重）機能を備えたものである。
【００４２】
従って、ソースドライバ７Ａの具体的な構成としては、ビデオ信号源１１からのＲ，Ｇ
，Ｂの画素信号を１フレーム分一旦記憶する記憶手段としてのフレームメモリと、このフ
レームメモリに記憶した一組以上の複数組のＲ，Ｇ，Ｂの画素信号を各組ごとにシリアル
信号に変換する際に、一組以上の複数組のＲ，Ｇ，Ｂの画素信号を各組ごとにＢ，Ｇ，Ｒ
の順に時間的に直列に並べたシリアル信号として出力するマルチプレクサ部（時分割多重
部）と、を備えている。なお、ソースドライバ７Ａの他の形態としては、記憶手段として
のフレームメモリに代えて、ビデオ信号源１１からのＲ，Ｇ，Ｂの画素信号を１水平期間
以上の所定数の水平期間分一旦記憶するメモリを用いた構成であってもよい。
【００４３】
なお、図２の構成では、デマルチプレクサ部９はゲートドライバ及びソースドライバ７
Ａからなるドライバ部と別体に構成されているが、そのドライバ部の内部にデマルチプレ
クサ部９Ａが含まれる構成となっていてもよい。
【００４４】
デマルチプレクサ部９Ａは、第１,第２,…のデマルチプレクサとしての第１,第２,…の
３信号選択用セレクタ９１，９２，……を備えて構成されている。  
例えば、３信号選択用セレクタ９１は、３つのデマルチプレクススイッチとしてのＴＦ
Ｔスイッチ９１ａ，９１ｂ，９１ｃを備え、シリアル信号Ｓ１が入力する信号線１２がＴ
ＦＴスイッチ９１ａ，９１ｂ，９１ｃの共通接続されたソースに接続し、ＴＦＴスイッチ
９１ａ，９１ｂ，９１ｃの各々のドレインが３本のソース線の入力端子Ｄ１，Ｄ２，Ｄ３
にそれぞれ接続し、ＴＦＴスイッチ９１ａ，９１ｂ，９１ｃの各々のゲートが選択信号Ｓ
ＥＬ１，ＳＥＬ２，ＳＥＬ３がそれぞれ供給される３本の選択信号線１３に接続している
。時間順次に出力される選択信号ＳＥＬ3，ＳＥＬ2，ＳＥＬ1を用いてソースドライバ７
Ａからの時間順次のＢＧＲシリアル信号Ｓ１を時間的に順次のＢ，Ｇ，Ｒのパラレル信号
ＯＳ3，ＯＳ2，ＯＳ1として振り分け、最初の３本のソース線群（図示左側）に供給する
。
【００４５】
同様にして、３信号選択用セレクタ９２は、３つのデマルチプレクススイッチとしての
ＴＦＴスイッチ９２ａ，９２ｂ，９２ｃを備え、シリアル信号Ｓ２が入力する信号線１２
がＴＦＴスイッチ９２ａ，９２ｂ，９２ｃの共通接続されたソースに接続し、ＴＦＴスイ
ッチ９２ａ，９２ｂ，９２ｃの各々のドレインが３本のソース線の入力端子Ｄ４，Ｄ５，
Ｄ６にそれぞれ接続し、ＴＦＴスイッチ９２ａ，９２ｂ，９２ｃの各々のゲートが選択信
号ＳＥＬ１，ＳＥＬ２，ＳＥＬ３がそれぞれ供給される３本の選択信号線１３に接続して
いる。時間順次に出力される選択信号ＳＥＬ3，ＳＥＬ2，ＳＥＬ1を用いてソースドライ
バ７Ａからの時間順次のＢＧＲシリアル信号Ｓ2を時間的に順次のＢ，Ｇ，Ｒのパラレル
信号ＯＳ6，ＯＳ5，ＯＳ4として振り分け、次の３本のソース線群に供給する。
【００４６】
以下同様にして、最後の３信号選択用セレクタでは、時間順次に出力される選択信号Ｓ
ＥＬ3，ＳＥＬ2，ＳＥＬ1を用いてソースドライバ７Ａからの１水平期間における最後の
時間順次のＢＧＲシリアル信号を時間的に順次のＢ，Ｇ，Ｒのパラレル信号ＯＳm，ＯＳm
-1，ＯＳm-2として振り分け、最後の３本のソース線群（図示せず）に供給する。  
このように、選択信号ＳＥＬ3〜ＳＥＬ1が３信号選択用のセレクタ９１，９２，……の
いずれに対しても同じタイミングで供給されるので、各組ごとのパラレル信号（ＯＳ3〜
ＯＳ1），（ＯＳ6〜ＯＳ4），……（ＯＳm〜ＯＳm-2）は１水平期間に選択信号ＳＥＬ3，
ＳＥＬ2，ＳＥＬ1とほぼ同じタイミングで液晶表示部８Ａの複数（ｍ本）のソース線１に
同時的に供給され、アクティブ状態のゲート線上の画素列を表示することになる。
【００４７】
一方、上記構成の液晶装置では、駆動方法としては対向電極５の電圧を１水平期間以上
の所定数の水平期間ごとに反転させるＨ／コモン反転駆動法を用いている。すなわち、液
晶印加電圧は、１以上の所定数（自然数）の水平ライン毎に反転し、かつフレーム周期で
極性反転する。また、対向電極電圧も前記１以上の所定数の水平ライン毎に極性反転する
。しかしながら、本発明の第１の実施形態では、コモン半直後の画素電極電位変動に基づ
いて画素電極へのデータ書込み電位が低下する不具合を理解するには、Ｈ／コモン反転駆
動がＨ反転及びコモン反転共に１水平ライン毎に極性反転する場合を考えると理解し易い
。
【００４８】
図６は、図２における対向電極５のコモン反転駆動に伴って、画素電極４に生じる実効
電圧の低下分ΔＶを示している。Ｖは低下したソース線電位（画素電極電圧）を、Ｖｉｄ
は理想値に近いソース線電位を示している。この画素電極４における実効電圧の低下した
分に相当する誤差電圧ΔＶは、デマルチプレクサ部９Ａの第１のデマルチプレクサ(91)に
おける最初にオンするＴＦＴスイッチ９１ｃに接続したソース線１の電位の変化量（換言
すれば、そのソース線１を通して画素電極４に印加されるＢ信号の電圧ＯＳ3の変化量）
ΔＶGに基づくものとなっている。
【００４９】
図７は、コモン反転駆動における、デマルチプレクサ部９Ａの第１のデマルチプレクサ
(91)における最初にオンするＴＦＴスイッチ９１ｃに接続したソース線１のＢ信号電位の
変化量ΔＶGを示している。対向電極（ＣＯＭ）のコモン電位と共に、画素電極（ＰＩＸ
Ｅ）のソース線電位の変化が示してある。
【００５０】
ΔＶとΔＶGの関係は次式で表される。すなわち、
ΔＶ＝ΔＶG  ×ＣGD／（ＣGD＋ＣLC＋ＣSC）＋α           …（１）
＝K・ΔＶG ＋α
ここで、K＝ＣGD／（ＣGD＋ＣLC＋ＣSC）、αは誤差成分である。ソース線１の電位の
変化量ΔＶGは、対向電極（COM）５の極性反転によりソース線（即ち画素電極PIXE）にた
まった電位の変動を表している。
【００５１】
なお、画素電極４における実効電圧の低下した分の誤差電圧ΔＶは、デマルチプレクサ
部９Ａの第２のデマルチプレクサ(92)についても同様に適用できる。つまり、誤差電圧Δ
Ｖは、デマルチプレクサ部９Ａの第２のデマルチプレクサ(92)おける最初にオンするＴＦ
Ｔスイッチ９２ｃに接続したソース線１の電位の変化量（換言すれば、そのソース線１を
通して画素電極４に印加されるＢ信号の電圧ＯＳ6の変化量）ΔＶGに基づくものとなって
おり、ΔＶとΔＶGの関係は式（１）と同様となる。
【００５２】
そこで、本第１の実施形態では、デマルチプレクサ部９Ａの各デマルチプレクサ９１，
９２，…の最初に選択されるデマルチプレクススイッチについて、該スイッチのオンによ
る画素電極４への画素書き込み時に実効電圧が低下しても、コモン反転直後の最初の画素
電極４への書込み信号を視認性の低いＢの色の画素信号とすることによって、色むら（色
づき）を目立たなくしている。
【００５３】
以上述べたように本発明の第１の実施形態によれば、３マルチプレクス駆動でかつコモ
ン反転駆動を行う電気光学装置において、デマルチプレクサ部の各デマルチプレクサの最
初に選択されるデマルチプレクススイッチについて、該スイッチのオンによる画素電極へ
の画素書き込み時に実効電圧が低下しても、コモン反転直後の最初の画素電極への書込み
信号を視認性の低いＢの色の画素信号とすることで、色むら（色づき）を目立たなくする
ことが可能となる。
【００５４】
［第２の実施形態］
図８は本発明の第２の実施形態の電気光学装置の構成を示す図である。図２の第１の実
施形態と同様、電気光学物質として液晶を用いた液晶装置について説明する。図２の場合
と同様に、ゲート線を駆動するゲートドライバ６、及びビデオ信号源１１は図１と同様で
あるので、図１と同一符号を付してある。
【００５５】
図８に示す第２の実施形態は、図９に示すように１画素をＲ，Ｇ，Ｂ，Ｃｙ（シアン）
４つのカラー画素（サブ画素）で構成した液晶装置、換言すればＲ，Ｇ，Ｂ，Ｃｙ４つの
カラーフィルタ（ＣＦ）を有した液晶装置である。
【００５６】
第２の実施形態に示す液晶装置で、第１の実施形態と異なる点は、第１の実施形態では
３マルチプレクス駆動の装置であったのに対し、本第２の実施形態では４マルチプレクス
駆動の装置である点である。Ｈ／コモン反転駆動を行うことは第１の実施形態と同様であ
る。
【００５７】
図８において、液晶表示部８Ａは構造的には図２に示したものと同様であるので、図２
と同一符号を付してある。４マルチプレクス駆動であるため、画素数を多くして説明する
ことが必要であるために、図２の３マルチプレクス駆動の場合より画素数を増やして示し
てある。液晶表示部８Ａには、複数のソース線１、複数のゲート線２、画素電極４、対向
電極５、液晶層２１ａ、保持容量２２、容量線２３、コモン電圧供給源２４が配設されて
いる。
【００５８】
液晶表示部８Ａに近接して、液晶表示部８Ａと一体的に接続したデマルチプレクサ部９
Ｂが配設されている。デマルチプレクサ部９Ｂは、第１のデマルチプレクサとしての４信
号選択用のセレクタ９１Ａ、第２のデマルチプレクサとしての４信号選択用のセレクタ９
２Ａ、……を備えて構成されている。
【００５９】
図８の液晶表示部８Ａのソース線入力端子Ｄ1，Ｄ2，Ｄ3，Ｄ4，Ｄ5，Ｄ6，Ｄ7，Ｄ8，
……，Ｄmはそれぞれ、Ｒ，Ｇ，Ｂ，Ｃｙ，Ｒ，Ｇ，Ｂ，Ｃｙ，…の画素信号ＯＳ1’，Ｏ
Ｓ2’，ＯＳ3’，ＯＳ4’，ＯＳ5’，ＯＳ6’，ＯＳ7’，ＯＳ8’，……，ＯＳm’を供給
する複数（ｍ本）のソース線に一対一で接続している。
【００６０】
図１０は、図８におけるデマルチプレクサ部９の動作を説明するタイミングチャートを
示している。Ｈsyncは水平同期信号、１Ｈは１水平期間、Ｓ1’，Ｓ2’，…はソースドラ
イバ７Ｂからデマルチプレクサ部９Ｂへ供給される時間順序Ｃｙ，Ｇ，Ｒ，Ｂの順に直列
的に並んだシリアル信号、ＳＥＬ1’〜ＳＥＬ4’はソースドライバ７Ｂからデマルチプレ
クサ部９Ｂへ前記時間順序Ｃｙ，Ｇ，Ｒ，Ｂに対応したＳＥＬ4’，ＳＥＬ2’，ＳＥＬ1
’，ＳＥＬ3’の順序で供給される選択信号、ＯＳ1’〜ＯＳ4’，ＯＳ5’〜ＯＳ8’，…
…は複数のソース線１に前記時間順序Ｃｙ，Ｇ，Ｒ，Ｂに対応した（ＯＳ4’，ＯＳ2’，
ＯＳ1’，ＯＳ3）’、（ＯＳ8’，ＯＳ6’，ＯＳ5’，ＯＳ7’）、……の時間順序で振り
分けられたＲ，Ｇ，Ｂ，Ｃｙの画素信号を表している。
【００６１】
デマルチプレクサ部９Ｂは、第１,第２,…のデマルチプレクサとしての第１,第２,…の
４信号選択用セレクタ９１Ａ，９２Ａ，９３Ａ，……を備えて構成されている。
【００６２】
デマルチプレクサ部９Ｂでは、ソースドライバ７Ｂから供給される複数組のＣｙＧＲＢ
シリアル信号（Ｃｙ，Ｇ，Ｒ，Ｂの４つの信号が時分割多重された信号）Ｓ１’，Ｓ2’
，……を組ごとに選択信号ＳＥＬ4’，ＳＥＬ２’，ＳＥＬ1’，ＳＥＬ3’を用いてデマ
ルチプレクスすることによってＣｙ，Ｇ，Ｒ，Ｂ個々の４つの信号に分解し、各組ごとに
同じタイミングで時間順次に分解したパラレル信号（ＯＳ4’，ＯＳ2’，ＯＳ1’，ＯＳ3
’），（ＯＳ8’，ＯＳ6’，ＯＳ5’，ＯＳ7’），……（ＯＳm’，ＯＳm-2’，ＯＳm-3
’，ＯＳm-1’）として、液晶表示部８Ａの複数のソース線１の入力端子Ｄ１〜Ｄｍに供
給する。
【００６３】
選択信号ＳＥＬ4’，ＳＥＬ２’，ＳＥＬ1’，ＳＥＬ3’は、１水平期間を４分割した
期間のそれぞれの期間にハイレベル信号としてソースドライバ７Ｂから時間順次に出力さ
れる。これらの選択信号ＳＥＬ4’，ＳＥＬ2’，ＳＥＬ1’，ＳＥＬ3’は、４信号選択用
セレクタ９１Ａ，９２Ａ，９３Ａ，……のいずれに対しても同じタイミングで供給される
。
【００６４】
デマルチプレクサ部９Ｂは、ソースドライバ７Ｂからの複数組のＣｙＧＲＢシリアル信
号Ｓ１’，Ｓ2’，……を複数のソース線１に割り振るラインセレクタとして機能する。
【００６５】
例えば、４信号選択用セレクタ９１Ａは、４つのデマルチプレクススイッチとしてのＴ
ＦＴスイッチ９１ａ，９１ｂ，９１ｃ，９１ｄを備え、シリアル信号Ｓ１’が入力する信
号線１２がＴＦＴスイッチ９１ａ，９１ｂ，９１ｃ，９１ｄの共通接続されたソースに接
続し、ＴＦＴスイッチ９１ａ，９１ｂ，９１ｃ，９１ｄの各々のドレインが４本のソース
線の入力端子Ｄ１，Ｄ２，Ｄ３，Ｄ４にそれぞれ接続し、ＴＦＴスイッチ９１ａ，９１ｂ
，９１ｃ，９１ｄの各々のゲートが選択信号ＳＥＬ1’，ＳＥＬ2’，ＳＥＬ3’，ＳＥＬ4
’がそれぞれ供給される４本の選択信号線１３に接続している。時間順次に出力される選
択信号ＳＥＬ4’，ＳＥＬ2’，ＳＥＬ1’，ＳＥＬ3’を用いてソースドライバ７Ｂからの
時間順次のＣｙＧＲＢシリアル信号Ｓ1’を時間的に順次のＣｙ，Ｇ，Ｒ，Ｂのパラレル
信号ＯＳ4’，ＯＳ2’，ＯＳ1’，ＯＳ3’として振り分け、液晶表示部８Ａの入力端子Ｄ
4，Ｄ2，Ｄ1，Ｄ3へ入力して、最初の４本のソース線群（図示左側）に供給する。
【００６６】
同様にして、４信号選択用セレクタ９２Ａは、４つのＴＦＴスイッチ９２ａ，９２ｂ，
９２ｃ，９２ｄを備え、シリアル信号Ｓ２’が入力する信号線１２がＴＦＴスイッチ９２
ａ，９２ｂ，９２ｃ，９２ｄの共通接続されたソースに接続し、ＴＦＴスイッチ９２ａ，
９２ｂ，９２ｃ，９２ｄの各々のドレインが４本のソース線の入力端子Ｄ5，Ｄ6，Ｄ7，
Ｄ8にそれぞれ接続し、ＴＦＴスイッチ９２ａ，９２ｂ，９２ｃ，９２ｄの各々のゲート
が選択信号ＳＥＬ1’，ＳＥＬ2’，ＳＥＬ3’，ＳＥＬ4’がそれぞれ供給される４本の選
択信号線１３に接続している。時間順次に出力される選択信号ＳＥＬ4’，ＳＥＬ2’，Ｓ
ＥＬ1’，ＳＥＬ3’を用いてソースドライバ７Ｂからの時間順次のＣｙＧＲＢシリアル信
号Ｓ2’を時間的に順次のＣｙ，Ｇ，Ｒ，Ｂのパラレル信号ＯＳ8’，ＯＳ6’，ＯＳ5’，
ＯＳ7’として振り分け、液晶表示部８Ａの入力端子Ｄ8，Ｄ6，Ｄ5，Ｄ7へ入力して、次
の４本のソース線群に供給する。
【００６７】
以下同様にして、最後の４信号選択用セレクタでは、時間順次に出力される選択信号Ｓ
ＥＬ4，ＳＥＬ2，ＳＥＬ1，ＳＥＬ3を用いてソースドライバ７Ｂからの１水平期間におけ
る最後の時間順次のＣｙＧＲＢシリアル信号を時間的に順次のＣｙ，Ｇ，Ｒ，Ｂのパラレ
ル信号ＯＳm-8’，ＯＳm-6’，ＯＳm-5’，ＯＳm-7’として振り分け、液晶表示部８Ａの
入力端子Ｄm-8’，Ｄm-6’，Ｄm-5’，Ｄm-7’へ入力して、最後の４本のソース線群（図
示せず）に供給する。
【００６８】
このように、選択信号ＳＥＬ4’，ＳＥＬ2’，ＳＥＬ1’，ＳＥＬ3’が４信号選択用の
セレクタ９１Ａ，９２Ａ，……のいずれに対しても同じタイミングで供給されるので、各
組ごとのパラレル信号（ＯＳ4’，ＯＳ2’，ＯＳ1’，ＯＳ3’），（ＯＳ8’，ＯＳ6’，
ＯＳ5’，ＯＳ7’），……（ＯＳm’，ＯＳm-2’，ＯＳm-3’，ＯＳm-1’）は１水平期間
に選択信号ＳＥＬ4’，ＳＥＬ2’，ＳＥＬ1’，ＳＥＬ3’とほぼ同じタイミングで液晶表
示部８Ａの複数（ｍ本）のソース線１に同時的に供給され、アクティブ状態のゲート線上
の画素列を表示することになる。
【００６９】
一方、上記構成の液晶装置では、駆動方法としては図２の第１の実施形態と同様に、対
向電極５の電圧を１水平期間以上の所定数の水平期間ごとに反転させるＨ／コモン反転駆
動法である。すなわち、液晶印加電圧は、１以上の所定数の水平ライン毎に反転し、かつ
フレーム周期で極性反転する。また、対向電極電圧も前記１以上の所定数の水平ライン毎
に極性反転する。このようなコモン反転駆動を行うと、図２の液晶装置の場合と同様に、
対向電極５のコモン反転駆動に伴って、画素電極４に生じる実効電圧の低下の不具合を生
じる。
【００７０】
そこで、本第２の実施形態では、デマルチプレクサ部９Ｂの各デマルチプレクサ９１Ａ
，９２Ａ，９３Ａ，…の最初に選択されるデマルチプレクススイッチについて、該スイッ
チのオンによる画素電極４への画素書き込み時に実効電圧が低下しても、コモン反転直後
の最初の画素電極４への書込み信号を視認性の低いＣｙの色の画素信号とすることによっ
て、色むら（色づき）を目立たなくしている。
【００７１】
なお、図８及び図１０では、Ｒ，Ｇ，Ｂ，Ｃｙの画素信号のうち、コモン反転直後の最
初の画素電極への書込み信号を視認性の低いＢとＧの中間色のＣｙ（シアン）の画素信号
としているが、コモン反転直後の最初の画素電極への書込み信号としてＣｙに代えて同様
に視認性の低いＢの画素信号を用いるようにしてもよい。
【００７２】
以上述べたように本発明の第２の実施形態によれば、４マルチプレクス駆動でかつコモ
ン反転駆動を行う電気光学装置において、デマルチプレクサ部の各デマルチプレクサの最
初に選択されるデマルチプレクススイッチについて、該スイッチのオンによる画素電極へ
の画素書き込み時に実効電圧が低下しても、コモン反転直後の最初の画素電極への書込み
信号を視認性の低いＢとＧの中間色のＣｙ（シアン）又はＢの画素信号とすることで、色
むら（色づき）を目立たなくすることが可能となる。
【００７３】
以上述べた実施形態は、３マルチプレクス駆動及び４マルチプレクス駆動の例について
説明したが、本発明はこれに限らず、ｎ（ｎは自然数）マルチプレクス駆動の電気光学装
置及びこれを用いた電子機器に応用することが可能である。
【００７４】
［電子機器］
以下、本発明の電気光学装置を備えた電子機器の具体例について説明する。  
図１１は、以上の実施形態で説明した液晶装置を用いて構成される電子機器の外観を示
す図である。携帯電話機の一例を示した斜視図である。
【００７５】
この図において、符号２００は携帯電話本体を示し、２０１は上記の液晶装置を用いた
液晶表示部を示している。２０２は表示部側筐体、２０３は操作部側筐体、２０４は両筐
体を折り曲げ可能に連結するヒンジ部である。  
図１１に示す電子機器は、多マルチプレクス駆動でかつコモン反転駆動を行う液晶装置
おいて、デマルチプレクススイッチのオンによる画素電極への画素書き込み時に実効電圧
が低下しても、色むら（色づき）を目立たなくした電子機器を実現することができる。
【００７６】
また、本発明の電気光学装置では、多マルチプレクス駆動のマルチプレクス数が増える
ほど、例えば第１の実施形態の３マルチプレクス駆動より第２の実施形態の４マルチプレ
クス駆動の方が、選択信号線数が増えても、ソースドライバから表示部付近のデマルチプ
レクサ部へ送信するデータ信号線数は少なくなるが、１画素当たりのデータ書込み時間が
短くなる。
【産業上の利用可能性】
【００７７】
本発明の電気光学装置は、液晶装置だけではなく、電気光学物質にＲ，Ｇ，Ｂ等の映像
信号を供給して表示を行うエレクトロルミネッセンス装置、有機エレクトロルミネッセン
ス装置、プラズマディスブレイ装置、電気泳動ディスプレイ装置、電子放出素子を用いた
装置（Field Emission Display 及び Surface-Conduction Electron-Emitter Display等
）などの各種の電気光学装置においても本発明を同様に適用することが可能である。
【図面の簡単な説明】
【００７８】
【図１】本発明に係る電気光学装置の概略構成を示す図。
【図２】本発明の第１の実施形態の電気光学装置の構成を示す図。
【図３】本第１の実施形態の液晶装置における画素の構成を示す図。
【図４】図２における画素部分を拡大して示す図。
【図５】図２におけるデマルチプレクサ部の動作を説明するタイミングチャート。
【図６】図２における対向電極のコモン反転駆動に伴って画素電極に生じる実効電圧の低下の不具合を説明する図。
【図７】Ｈ／コモン反転駆動における、デマルチプレクサ部の各デマルチプレクサにおける最初にオンするＴＦＴスイッチに接続したソース線の電位の変化量ΔＶGを示す図。
【図８】本発明の第２の実施形態の電気光学装置の構成を示す図。
【図９】本第２の実施形態の液晶装置における画素の構成を示す図。
【図１０】図８におけるデマルチプレクサ部の動作を説明するタイミングチャート。
【図１１】本発明の液晶装置を備えた電子機器の一例を示す斜視図。
【符号の説明】
【００７９】
１…ソース線（データ線）、２…ゲート線（走査線）、３…ＴＦＴ、４…画素電極、５
…対向電極、６…ゲートドライバ、７…ソースドライバ、８…液晶表示部（表示部）、９
…デマルチプレクサ部、１０…ドライバ部、１１…ビデオ信号源（信号源）、２４…コモ
ン電圧供給源（コモン電圧駆動手段）、９１，９２…３信号選択用セレクタ（第１，第２
のデマルチプレクサ）、９１Ａ，９２Ａ…４信号選択用セレクタ（第１，第２のデマルチ
プレクサ）。
【図１】
2007114259.tif 000003
【図２】
2007114259.tif 000004
【図３】
2007114259.tif 000005
【図４】
2007114259.tif 000006
【図５】
2007114259.tif 000007
【図６】
2007114259.tif 000008
【図７】
2007114259.tif 000009
【図８】
2007114259.tif 000010
【図９】
2007114259.tif 000011
【図１０】
2007114259.tif 000012
【図１１】
2007114259.tif 000013